(57)【要約】【課題】転送する画像データに応じて適切な転送方式で転送することが可能な表示装置を提供する。【解決手段】この情報端末（表示装置）は、画像を表示する表示部２と、表示部２に画像データを転送するデータ転送部１と、データ転送部１により画像データを転送する際に、起動しているアプリケーションおよび１画面内での更新部分の量に基づいて、転送方式を切り替える制御を行うＣＰＵ３とを備える。【選択図】図１
2013235191.tif 000002
【特許請求の範囲】
【請求項１】
画像を表示する表示部と、
前記表示部に画像データを転送する画像転送部と、
前記画像転送部により画像データを転送する際に、起動しているアプリケーションまたは１画面内での更新部分の量のうち少なくとも１つに基づいて、転送方式を切り替える制御を行う制御部とを備える、表示装置。
【請求項２】
前記制御部は、起動しているアプリケーションまたは１画面内での更新部分の量のうち少なくとも１つに基づいて、画像データを圧縮して転送する第１転送方式、画像データを圧縮せずに転送する第２転送方式、または、画像データの更新部分を転送する第３転送方式に切り替える制御を行うように構成されている、請求項１に記載の表示装置。
【請求項３】
前記画像転送部は、画像データを前記第１転送方式、前記第２転送方式および前記第３転送方式に対応する複数の転送用フォーマットに変換可能な第１変換部を含み、
前記表示部は、前記第１変換部により転送用フォーマットに変換された画像データを表示用フォーマットに再変換する第２変換部を含み、
前記制御部は、起動しているアプリケーションまたは１画面内での更新部分の量のうち少なくとも１つに基づいて、前記第１変換部による変換方式を切り替える制御を行うように構成されている、請求項２に記載の表示装置。
【請求項４】
前記第１変換部は、前記第１転送方式としての複数の圧縮方式による転送用フォーマットに前記画像データを変換可能に構成されており、
前記制御部は、起動しているアプリケーションまたは１画面内での更新部分の量のうち少なくとも１つに基づいて、前記第１変換部による圧縮方式を切り替える制御を行うように構成されている、請求項３に記載の表示装置。
【請求項５】
前記転送用フォーマットは、前記第１変換部による変換方式に関するパケット情報を含む、請求項３または４に記載の表示装置。
【請求項６】
前記制御部は、少なくとも、テキストを表示させるアプリケーションと、静止画再生のアプリケーションと、動画再生のアプリケーションとを判別して、動画再生のアプリケーションの場合に、画像データを圧縮して転送する第１転送方式に切り替える制御を行うように構成されている、請求項１〜５のいずれか１項に記載の表示装置。
【請求項７】
前記制御部は、１画面内での更新部分の量に基づいて、１画面内での更新部分の量が所定の量よりも少ない場合に、画像データの更新部分を前記画像転送部により転送する第３転送方式に切り替える制御を行うように構成されている、請求項１〜５のいずれか１項に記載の表示装置。
【請求項８】
前記画像転送部は、画像データを記憶するフレームメモリを含み、
前記制御部は、前記フレームメモリの画像データに基づいて、１画面内での更新部分の量を判断するように構成されている、請求項７に記載の表示装置。
【請求項９】
画像を表示する表示部と、
前記表示部に画像データを転送する画像転送部と、
前記画像転送部により画像データを転送する際に、起動しているアプリケーションまたは１画面内での更新部分の量のうち少なくとも１つに基づいて、転送方式を切り替える制御を行う制御部とを備える、表示システム。
【発明の詳細な説明】
【技術分野】
【０００１】
この発明は、表示装置および表示システムに関し、特に、表示部を備えた表示装置および表示システムに関する。
【背景技術】
【０００２】
従来、表示部を備えた表示装置が知られている（たとえば、特許文献１参照）。
【０００３】
上記特許文献１には、画像を表示する液晶パネル（表示部）と、液晶パネルに映像データ（画像データ）を圧縮して転送するタイミングコントローラ（画像転送部）とを備える表示装置が開示されている。
【先行技術文献】
【特許文献】
【０００４】
【特許文献１】特開２０１０−９６９５１号公報
【発明の概要】
【発明が解決しようとする課題】
【０００５】
しかしながら、上記特許文献１の表示装置では、タイミングコントローラ（画像転送部）が、映像データ（画像データ）を一律の方式で圧縮して液晶パネル（表示部）に転送するように構成されているため、データ量が少ないなど転送時に圧縮する必要のない映像データについても、常に圧縮されてしまうとともに転送先で常に解凍作業が必要になるという問題点がある。
【０００６】
この発明は、上記のような課題を解決するためになされたものであり、この発明の１つの目的は、転送する画像データに応じて適切な転送方式で転送することが可能な表示装置および表示システムを提供することである。
【課題を解決するための手段】
【０００７】
この発明の第１の局面による表示装置は、画像を表示する表示部と、表示部に画像データを転送する画像転送部と、画像転送部により画像データを転送する際に、起動しているアプリケーションまたは１画面内での更新部分の量のうち少なくとも１つに基づいて、転送方式を切り替える制御を行う制御部とを備える。
【０００８】
この発明の第１の局面による表示装置では、上記のように、起動しているアプリケーションまたは１画面内での更新部分の量のうち少なくとも１つに基づいて、転送方式を切り替える制御を行う制御部を設けることによって、起動しているアプリケーションに適した転送方式、または、更新部分の量に適した転送方式に切り替えて画像データを転送することができるので、転送する画像データに応じて適切な転送方式で転送することができる。
【０００９】
上記第１の局面による表示装置において、好ましくは、制御部は、起動しているアプリケーションまたは１画面内での更新部分の量のうち少なくとも１つに基づいて、画像データを圧縮して転送する第１転送方式、画像データを圧縮せずに転送する第２転送方式、または、画像データの更新部分を転送する第３転送方式に切り替える制御を行うように構成されている。このように構成すれば、画像データを圧縮して転送する第１転送方式、画像データを圧縮せずに転送する第２転送方式、または、画像データの更新部分を転送する第３転送方式のうち、起動しているアプリケーションまたは１画面内での更新部分の量により適した転送方式で画像データを転送することができるので、転送する画像データに応じたより適切な転送方式で画像データを転送することができる。
【００１０】
この場合、好ましくは、画像転送部は、画像データを第１転送方式、第２転送方式および第３転送方式に対応する複数の転送用フォーマットに変換可能な第１変換部を含み、表示部は、第１変換部により転送用フォーマットに変換された画像データを表示用フォーマットに再変換する第２変換部を含み、制御部は、起動しているアプリケーションまたは１画面内での更新部分の量のうち少なくとも１つに基づいて、第１変換部による変換方式を切り替える制御を行うように構成されている。このように構成すれば、第１変換部による変換方式を切り替えることによって、画像データの転送方式を容易に切り替えることができる。また、第２変換部により画像データを表示用フォーマットに再変換することによって、表示部に画像を容易に表示させることができる。
【００１１】
上記画像転送部が第１変換部を含む構成において、好ましくは、第１変換部は、第１転送方式としての複数の圧縮方式による転送用フォーマットに画像データを変換可能に構成されており、制御部は、起動しているアプリケーションまたは１画面内での更新部分の量のうち少なくとも１つに基づいて、第１変換部による圧縮方式を切り替える制御を行うように構成されている。このように構成すれば、第１変換部による第１転送方式としての圧縮方式を切り替えることによって、画像データの転送方式を容易に切り替えることができる。また、起動しているアプリケーション、または、更新部分の量に適した圧縮方式の転送フォーマットに第１変換部により画像データを変換することによって、転送量を少なくすることができる。これにより、転送時の処理量を少なくすることができるので、消費電力が増大することを抑制することができる。また、転送量を少なくすることができるので、転送レートを上げることなく、表示部に高解像度の画像を表示させることができる。また、転送量を少なくすることができるので、ＥＭＩ（電磁波障害）対策を容易に行うことができる。
【００１２】
上記画像転送部が第１変換部を含む構成において、好ましくは、転送用フォーマットは、第１変換部による変換方式に関するパケット情報を含む。このように構成すれば、変換方式に関するパケット情報に基づいて第２変換部により容易に画像データを表示用フォーマットに再変換することができる。
【００１３】
上記第１の局面による表示装置において、好ましくは、制御部は、少なくとも、テキストを表示させるアプリケーションと、静止画再生のアプリケーションと、動画再生のアプリケーションとを判別して、動画再生のアプリケーションの場合に、画像データを圧縮して転送する第１転送方式に切り替える制御を行うように構成されている。このように構成すれば、テキストを表示させるアプリケーション、静止画再生のアプリケーション、および、動画再生のアプリケーションのそれぞれに適した転送方式により画像データを転送することができるので、転送する画像データに応じたより適切な転送方式で画像データを転送することができる。
【００１４】
上記第１の局面による表示装置において、好ましくは、制御部は、１画面内での更新部分の量に基づいて、１画面内での更新部分の量が所定の量よりも少ない場合に、画像データの更新部分を画像転送部により転送する第３転送方式に切り替える制御を行うように構成されている。このように構成すれば、更新部分のみの画像データを転送することができるので、表示する画像の解像度が低下することを抑制しつつ、転送量を少なくすることができる。
【００１５】
この場合、好ましくは、画像転送部は、画像データを記憶するフレームメモリを含み、制御部は、フレームメモリの画像データに基づいて、１画面内での更新部分の量を判断するように構成されている。このように構成すれば、１画面内での更新部分の量が所定の量よりも少ないことを容易に判断することができるので、画像データの更新部分を容易に転送することができる。
【００１６】
この発明の第２の局面による表示システムは、画像を表示する表示部と、表示部に画像データを転送する画像転送部と、画像転送部により画像データを転送する際に、起動しているアプリケーションまたは１画面内での更新部分の量のうち少なくとも１つに基づいて、転送方式を切り替える制御を行う制御部とを備える。
【００１７】
この発明の第２の局面による表示システムでは、上記のように、起動しているアプリケーションまたは１画面内での更新部分の量のうち少なくとも１つに基づいて、転送方式を切り替える制御を行う制御部を設けることによって、起動しているアプリケーションに適した転送方式、または、更新部分の量に適した転送方式に切り替えて画像データを転送することができるので、転送する画像データに応じて適切な転送方式で転送することができる。
【図面の簡単な説明】
【００１８】
【図１】本発明の第１実施形態による情報端末を示したブロック図である。
【図２】本発明の第１実施形態による情報端末の転送用フォーマットを説明するための図である。
【図３】本発明の第１実施形態による情報端末の画像の更新部分を説明するための図である。
【図４】本発明の第１実施形態による情報端末の画像の座標を含む画像データを説明するための図である。
【図５】本発明の第１実施形態による情報端末の更新部分の転送用フォーマットを説明するための図である。
【図６】本発明の第１実施形態による情報端末の画像データの転送切替処理を説明するためのフローチャートである。
【図７】本発明の第２実施形態による表示システムを示したブロック図である。
【図８】本発明の第２実施形態による表示システムの画像データの転送切替処理を説明するためのフローチャートである。
【発明を実施するための形態】
【００１９】
以下、本発明の実施形態を図面に基づいて説明する。
【００２０】
（第１実施形態）
まず、図１〜図５を参照して、本発明の第１実施形態による情報端末１００の構成について説明する。なお、情報端末１００は、本発明の「表示装置」の一例である。
【００２１】
情報端末１００は、各種アプリケーションを起動したり、インターネットに接続したりすることが可能に構成されている。情報端末１００は、図１に示すように、データ転送部１と、表示部２と、ＣＰＵ（中央処理装置）３とを備えている。データ転送部１は、データ圧縮部１１と、データ送信部１２と、フレームメモリ１３と、パケット生成部１４と、画像データモニタ部１５とを含む。表示部２は、表示パネル２１と、データ解凍部２２と、フレームメモリ２３とを含む。なお、データ転送部１は、本発明の「画像転送部」の一例であり、ＣＰＵ３は、本発明の「制御部」の一例である。また、データ圧縮部１１は、本発明の「第１変換部」の一例であり、データ解凍部２２は、本発明の「第２変換部」の一例である。また、フレームメモリ１３は、本発明の「フレームメモリ」の一例である。
【００２２】
データ転送部１と、表示部２とは、互いに異なる基板上（図示せず）に設けられている。また、データ転送部１と、表示部２とは、配線により接続されている。
【００２３】
データ転送部１は、表示部２に画像データを転送するように構成されている。具体的には、フレームメモリ１３の画像データを、データ転送部１２およびデータ圧縮部１１を介して表示部２に転送するように構成されている。また、データ転送部１は、転送方式を切り替え可能に構成されている。具体的には、データ転送部１は、画像データを非圧縮データ（生データ）により転送する転送方式、画像データをランレングス圧縮により可逆圧縮して転送する転送方式、画像データを静止画用の可逆圧縮（たとえば、ＧＩＦなど）により圧縮して転送する転送方式、画像データを動画用の可逆圧縮（たとえば、Ｈｕｆｆｙｕｖなど）により圧縮して転送する転送方式、または、画像データの更新部分を転送する転送方式に切り替え可能に構成されている。
【００２４】
データ圧縮部１１は、画像データを複数の転送用フォーマットに変換可能に構成されている。つまり、データ圧縮部１１は、画像データを非圧縮データ（生データ）により転送する転送用フォーマット、画像データをランレングス圧縮により圧縮して転送する転送用フォーマット、画像データを静止画用の可逆圧縮（たとえば、ＧＩＦなど）により圧縮して転送する転送用フォーマット、画像データを動画用の可逆圧縮（たとえば、Ｈｕｆｆｙｕｖなど）により圧縮して転送する転送用フォーマット、および、画像データの更新部分を転送する転送用フォーマットに変換可能に構成されている。なお、転送用フォーマットは、図２に示すように、変換方式に関するパケット情報と、画像データとを含む。変換方式に関するパケット情報は、複数の転送用フォーマットのそれぞれに対応するパケット情報であり、互いに区別できるように設定されている。画像データは、転送用フォーマットに変換された画像データの情報が含まれている。
【００２５】
データ送信部１２は、フレームメモリ１３の画像データをデータ圧縮部１１を介して表示部２に送信するように構成されている。フレームメモリ１３は、画像データを１画像（１画面）単位で保持するように構成されている。パケット生成部１４は、変換方式に関するパケット情報を転送用フォーマットに応じて生成するように構成されている。画像データモニタ部１５は、画像データを転送する転送用フォーマットを区別可能に構成されている。また、画像データモニタ部１５は、転送用フォーマットをパケット生成部１４に通知するように構成されている。
【００２６】
表示部２は、画像を表示するように構成されている。具体的には、表示パネル２１に情報端末１００のアプリケーションに応じた画像を表示するように構成されている。また、表示パネル２１に情報端末１００の操作のための画像（操作ボタンなど）を表示するように構成されている。表示パネル２１は、液晶ディスプレイと、バックライトとを有している。また、表示パネル２１には、タッチパネルが一体的に設けられている。
【００２７】
データ解凍部２２は、データ圧縮部１１により転送用フォーマットに変換された画像データを表示用フォーマットに再変換するように構成されている。具体的には、データ解凍部２２は、転送用フォーマットのパケット情報に基づいて、転送用フォーマットの変換方式を取得し、取得した変換方式に基づいて、表示用フォーマットに再変換するように構成されている。フレームメモリ２３は、画像データを１画像（１画面）単位で保持するように構成されている。
【００２８】
ここで、第１実施形態では、ＣＰＵ３は、情報端末１００の各部を制御するように構成されている。具体的には、ＣＰＵ３は、アプリケーションを起動して実行するように構成されている。また、ＣＰＵ３は、データ転送部１により画像データを転送する際に、起動しているアプリケーション、および、１画面内での更新部分の量に基づいて、転送方式を切り替える制御を行うように構成されている。具体的には、ＣＰＵ３は、テキストを表示させるアプリケーション（たとえば、電子書籍リーダなど）と、静止画再生のアプリケーション（たとえば、デジタルフォトフレームアプリなど）と、動画再生のアプリケーションとを判別して、データ転送部１（データ圧縮部１１）による転送方式を切り替える制御を行うように構成されている。つまり、ＣＰＵ３は、起動しているアプリケーションに基づいて、データ転送部１（データ圧縮部１１）による圧縮方式を切り替える制御を行うように構成されている。
【００２９】
また、ＣＰＵ３は、データ転送部１のデータ圧縮部１１による転送用フォーマットに変換する処理、データ転送部１から表示部２に画像データを転送する処理、および、表示部２のデータ解凍部２２による表示用フォーマットに再変換する処理を総合的に判断して、トータルの処理量が小さくなる転送方式に切り替える制御を行うように構成されている。なお、ＣＰＵ３は、起動しているアプリケーション、および、１画面内での更新部分の量に基づいて、転送量が少なくなる転送方式に切り替える制御を行うことも可能に構成されている。
【００３０】
また、ＣＰＵ３は、データ転送部１のフレームメモリ１３の画像データに基づいて、１画面内での更新部分の量を判断するように構成されている。具体的には、図３に示す例のように、静止画が表示されている画面２１ａ内にカーソル２１ｂが点滅表示されている場合、１画面内での更新部分は、カーソル２１ｂの点滅部分である。この場合、ＣＰＵ３は、フレームメモリ１３の画像データに基づいて、画面２１ａ内での更新部分の量をカーソル２１ｂ分の量と判断する。
【００３１】
また、ＣＰＵ３は、１画面内での更新部分の量に基づいて、１画面内での更新部分の量が所定の量よりも少ない場合に、画像データの更新部分をデータ転送部１により転送する転送方式に切り替える制御を行うように構成されている。この場合、ＣＰＵ３は、画面２１ｃ（図４参照）内の更新部分の座標（ｘ，ｙ）と、色データＤとを、転送用フォーマットの画像データ（図５参照）に含める変換を行うようにデータ転送部１の制御を行う。
【００３２】
また、ＣＰＵ３は、起動しているアプリケーション、および、１画面内での更新部分の量に基づいて、画像データを圧縮して転送する転送方式、画像データを圧縮せずに転送（生データを転送）する転送方式、または、画像データの更新部分を転送する転送方式に切り替える制御を行うように構成されている。
【００３３】
次に、図６を参照して、情報端末１００のＣＰＵ３が行う画像データの転送切替処理について説明する。
【００３４】
ユーザの操作によりアプリケーションが起動されると、ステップＳ１において、ＣＰＵ３は、起動しているアプリケーションがテキストを表示するアプリケーション（たとえば、電子書籍リーダなど）であるか否かを判断する。起動しているアプリケーションがテキストを表示するアプリケーションでなければ、ステップＳ２に進み、テキストを表示するアプリケーションであれば、ステップＳ６に進む。ＣＰＵ３は、ステップＳ２において、起動しているアプリケーションが静止画を再生するアプリケーション（たとえば、デジタルフォトフレームアプリなど）であるか否かを判断する。起動しているアプリケーションが静止画を再生するアプリケーションでなければ、ステップＳ３に進み、静止画を再生するアプリケーションであれば、ステップＳ７に進む。
【００３５】
ＣＰＵ３は、ステップＳ３において、起動しているアプリケーションが動画を再生するアプリケーションであるか否かを判断する。起動しているアプリケーションが動画を再生するアプリケーションであれば、ＣＰＵ３は、ステップＳ４において、データ転送部１により画像データを動画用の可逆圧縮により圧縮して転送する制御を行い、画像データの転送切替処理を終了する。一方、動画を再生するアプリケーションでなければ、ＣＰＵ３は、ステップＳ５において、データ転送部１により画像データを非圧縮データ（生データ）により転送する制御を行い、画像データの転送切替処理を終了する。
【００３６】
ステップＳ１において、テキストを表示するアプリケーションであると判断した場合、ＣＰＵ３は、ステップＳ６において、データ転送部１により画像データをランレングス圧縮により圧縮して転送する制御を行い、画像データの転送切替処理を終了する。
【００３７】
ステップＳ２において、静止画を再生するアプリケーションであると判断した場合、ＣＰＵ３は、ステップＳ７において、再生されている静止画が変更されたか否かを判断する。つまり、ＣＰＵ３は、静止画を再生するアプリケーションのオート再生機能やユーザの操作などにより、再生されている静止画が変更されたか否かを判断する。再生されている静止画が変更されなければ、ＣＰＵ３は、ステップＳ８において、データ転送部１により画像データの更新部分のみを転送する制御を行う。具体的には、ＣＰＵ３は、画像データのうち、再生している静止画とともに表示されている、カーソル表示や時計表示などが更新されている場合などの、画像データが更新されている部分をデータ転送部１により転送する制御を行う。その後、画像データの転送切替処理を終了する。
【００３８】
ステップＳ７において、再生されている静止画が変更されたと判断した場合、ＣＰＵ３は、ステップＳ９において、変更された静止画を含む画像データをデータ転送部１により静止画用の可逆圧縮により圧縮して転送する制御を行い、画像データの転送切替処理を終了する。
【００３９】
第１実施形態では、上記のように、起動しているアプリケーションおよび１画面内での更新部分の量に基づいて、転送方式を切り替える制御を行うＣＰＵ３を設けることによって、起動しているアプリケーションに適した転送方式、または、更新部分の量に適した転送方式に切り替えて画像データを転送することができるので、転送する画像データに応じて適切な転送方式で転送することができる。
【００４０】
また、第１実施形態では、上記のように、ＣＰＵ３を、起動しているアプリケーションおよび１画面内での更新部分の量に基づいて、画像データを圧縮して転送する転送方式、画像データを圧縮せずに転送する転送方式、または、画像データの更新部分を転送する転送方式に切り替える制御を行うように構成する。これにより、画像データを圧縮して転送する転送方式、画像データを圧縮せずに転送する転送方式、または、画像データの更新部分を転送する転送方式のうち、起動しているアプリケーションまたは１画面内での更新部分の量により適した転送方式で画像データを転送することができるので、転送する画像データに応じたより適切な転送方式で画像データを転送することができる。
【００４１】
また、第１実施形態では、上記のように、ＣＰＵ３を、起動しているアプリケーションおよび１画面内での更新部分の量に基づいて、データ圧縮部１１による変換方式を切り替える制御を行うように構成する。これにより、データ圧縮部１１による変換方式を切り替えることによって、画像データの転送方式を容易に切り替えることができる。また、データ解凍部２２により画像データを表示用フォーマットに再変換することによって、表示部２（表示パネル２１）に画像を容易に表示させることができる。
【００４２】
また、第１実施形態では、上記のように、ＣＰＵ３を、起動しているアプリケーションおよび１画面内での更新部分の量に基づいて、データ圧縮部１１による圧縮方式を切り替える制御を行うように構成する。これにより、データ圧縮部１１による圧縮方式を切り替えることによって、画像データの転送方式を容易に切り替えることができる。また、起動しているアプリケーション、または、更新部分の量に適した圧縮方式の転送フォーマットにデータ圧縮部１１により画像データを変換することによって、転送量を少なくすることができる。これにより、転送時の処理量を少なくすることができるので、消費電力が増大することを抑制することができる。また、転送量を少なくすることができるので、転送レートを上げることなく、表示部２（表示パネル２１）に高解像度の画像を表示させることができる。また、転送量を少なくすることができるので、ＥＭＩ（電磁波障害）対策を容易に行うことができる。
【００４３】
また、第１実施形態では、上記のように、転送用フォーマットがデータ圧縮部１１による変換方式に関するパケット情報を含むように構成することによって、変換方式に関するパケット情報に基づいてデータ解凍部２２により容易に画像データを表示用フォーマットに再変換することができる。
【００４４】
また、第１実施形態では、上記のように、ＣＰＵ３を、テキストを表示させるアプリケーションと、静止画再生のアプリケーションと、動画再生のアプリケーションとを判別して、動画再生のアプリケーションの場合に、画像データを圧縮して転送する転送方式に切り替える制御を行うように構成する。これにより、テキストを表示させるアプリケーション、静止画再生のアプリケーション、および、動画再生のアプリケーションのそれぞれに適した転送方式により画像データを転送することができるので、転送する画像データに応じたより適切な転送方式で画像データを転送することができる。
【００４５】
また、第１実施形態では、上記のように、ＣＰＵ３を、フレームメモリ１３の画像データに基づいて、１画面内での更新部分の量を判断するように構成することによって、１画面内での更新部分の量が所定の量よりも少ないことを容易に判断することができるので、画像データの更新部分を容易に転送することができる。
【００４６】
（第２実施形態）
次に、図７および図８を参照して、本発明の第２実施形態による表示システム２００の構成について説明する。この第２実施形態では、データ転送部と表示部とが共通の情報端末（装置）に設けられている構成の上記第１実施形態と異なり、データ転送部と表示部とが互いに異なる装置に設けられている構成の例について説明する。
【００４７】
表示システム２００は、図７に示すように、情報端末３００と、ＴＶ４００とを備えている。情報端末３００は、データ転送部４と、ＣＰＵ（中央処理装置）５と、通信部６とを備えている。なお、データ転送部４およびＣＰＵ５は、それぞれ、第１実施形態のデータ転送部１およびＣＰＵ３に対応しており、共通する部分は説明を省略する。なお、データ転送部４は、本発明の「画像転送部」の一例であり、ＣＰＵ５は、本発明の「制御部」の一例である。
【００４８】
ＴＶ４００は、表示部７と、通信部８とを備えている。表示部７は、表示パネル７１と、データ解凍部７２と、フレームメモリ７３とを含む。なお、表示部７、表示パネル７１、データ解凍部７２およびフレームメモリ７３は、それぞれ、第１実施形態の表示部２、表示パネル２１、データ解凍部２２およびフレームメモリ２３に対応しており、共通する部分は説明を省略する。また、データ解凍部７２は、本発明の「第２変換部」の一例である。
【００４９】
情報端末３００のデータ転送部４と、ＴＶ４００の表示部７とは、情報端末３００の通信部６およびＴＶ４００の通信部８を介してケーブル（図示せず）により接続されている。
【００５０】
ここで、第２実施形態では、ＣＰＵ５は、１画面内での更新部分の量に基づいて、１画面内での更新部分の量が所定の量よりも少ない場合に、画像データの更新部分をデータ転送部４により転送する転送方式に切り替える制御を行うように構成されている。具体的には、ＣＰＵ５は、閾値ＡおよびＢと、画像データの更新部分の書き換え数Ｘとを比較して、画像データの転送方式を切り替える制御を行うように構成されている。
【００５１】
詳しくは、ＣＰＵ５は、画像データの更新部分の書き換え数Ｘが閾値Ａ以下（Ｘ≦Ａ）の場合、画像データの更新部分を転送する転送方式に切り替えるように構成されている。また、ＣＰＵ５は、画像データの更新部分の書き換え数ＸがＡよりも大きくてＢ以下（Ａ＜Ｘ≦Ｂ）の場合、全画面の画像データを非圧縮データ（生データ）により転送する転送方式に切り替えるように構成されている。また、ＣＰＵ５は、画像データの更新部分の書き換え数ＸがＢよりも大きい（Ｘ＞Ｂ）場合、全画面の画像データを可逆圧縮により圧縮して転送する転送方式に切り替えるように構成されている。なお、閾値Ａは、閾値Ｂよりも小さい値に設定されている。
【００５２】
情報端末３００の通信部６は、ＴＶ４００に対して画像データを含む情報を送受信可能に構成されている。ＴＶ４００の通信部８は、情報端末３００に対して画像データを含む情報を送受信可能に構成されている。
【００５３】
次に、図８を参照して、情報端末３００のＣＰＵ５が行う画像データの転送切替処理について説明する。この処理は、情報端末３００からＴＶ４００に画像データを転送している場合に継続的に実行されている。
【００５４】
ステップＳ１１において、ＣＰＵ５は、画像データの書き換えデータ数の閾値ＡおよびＢを取得する。ＣＰＵ５は、ステップＳ１２において、１画面内の画像データの書き換えデータ数Ｘを取得する。具体的には、ＣＰＵ５は、フレームメモリ１３への１画面内の画像データの書き換え数をモニタして書き換えデータ数Ｘを取得する。つまり、ＣＰＵ５は、１画面内での画像データの更新部分の量を取得する。ＣＰＵ５は、ステップＳ１３において、書き換えデータ数Ｘ≦閾値Ａであるか否かを判断する。Ｘ＞Ａであれば、ステップＳ１４に進み、Ｘ≦Ａであれば、ステップＳ１７に進む。
【００５５】
ＣＰＵ５は、ステップＳ１４において、閾値Ａ＜書き換えデータ数Ｘ≦閾値Ｂであるか否かを判断する。Ｘ＞Ｂであれば、ＣＰＵ５は、ステップＳ１５において、全画面の画像データを可逆圧縮により圧縮して転送する制御を行い、画像データの転送切替処理を終了する。一方、Ａ＜Ｘ≦Ｂであれば、ＣＰＵ５は、ステップＳ１６において、全画面の画像データを非圧縮データ（生データ）により転送する制御を行い、画像データの転送切替処理を終了する。
【００５６】
ステップＳ１３において、Ｘ≦Ａと判断した場合、ＣＰＵ５は、ステップＳ１７において、画像データの更新部分のみを転送する制御を行い、画像データの転送切替処理を終了する。
【００５７】
なお、第２実施形態のその他の構成は、上記第１実施形態と同様である。
【００５８】
第２実施形態の構成においても、上記第１実施形態と同様に、１画面内での更新部分の量に基づいて、転送方式を切り替える制御を行うＣＰＵ５を設けることによって、更新部分の量に適した転送方式に切り替えて画像データを転送することができるので、転送する画像データに応じて適切な転送方式で転送することができる。
【００５９】
さらに、第２実施形態では、上記のように、ＣＰＵ５を、１画面内での更新部分の量に基づいて、１画面内での更新部分の量が所定の量よりも少ない場合に、画像データの更新部分をデータ転送部４により転送する転送方式に切り替える制御を行うように構成する。これにより、更新部分のみの画像データを転送することができるので、表示する画像の解像度が低下することを抑制しつつ、転送量を少なくすることができる。このような効果は、画素数が大きい表示部７（表示パネル７１）を備える表示システム２００において、特に有効である。
【００６０】
なお、第２実施形態のその他の効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１実施形態では、本発明の表示装置の一例として情報端末を適用する例を示したが、本発明はこれに限られない。たとえば、ＴＶまたはパーソナルコンピュータの表示装置など情報端末以外の表示装置に本発明を適用してもよい。
【００６３】
また、上記第２実施形態では、画像転送部としてのデータ転送部と、制御部としてのＣＰＵとが共通の情報端末（装置）に設けられ、表示部がデータ転送部とＣＰＵとは別の装置に設けられている構成の例を示したが、本発明はこれに限られない。本発明では、表示システムが、表示部と、画像転送部と、制御部とを備えていれば、第１実施形態の情報端末（表示装置）のように、表示部、画像転送部および制御部が互いに共通の装置に設けられていてもよいし、表示部、画像転送部および制御部が互いに異なる装置に設けられていてもよい。
【００６４】
また、上記第１および第２実施形態では、起動しているアプリケーションおよび１画面内での更新部分の量の両方に基づいて、転送方式を切り替える制御を行う構成の例を示したが、本発明はこれに限られない。本発明では、起動しているアプリケーションまたは１画面内での更新部分の量のいずれか１つに基づいて、転送方式を切り替える制御を行う構成であってもよい。
【００６５】
また、上記第１実施形態では、テキストを表示させるアプリケーションと、静止画再生のアプリケーションと、動画再生のアプリケーションとを判別して、転送方式を切り替える制御を行う構成の例を示したが、本発明はこれに限られない。本発明では、上記３つのアプリケーション以外の複数のアプリケーションを判別して転送方式を切り替える制御を行う構成であってもよいし、上記３つのアプリケーションを含む４つ以上のアプリケーションを判別して転送方式を切り替える制御を行う構成であってもよい。
【００６６】
また、上記第２実施形態では、ＣＰＵ（制御部）が画像データの更新部分の書き換え数の閾値を取得した上で、１画面内での更新部分の量が所定の量よりも少ないことを判断する構成の例を示したが、本発明はこれに限られない。本発明では、制御部が画像データの更新部分の書き換え数の閾値を演算により求めて、１画面内での更新部分の量が所定の量よりも少ないことを判断する構成であってもよい。
【００６７】
また、上記第１および第２実施形態では、説明の便宜上、本発明のＣＰＵ（制御部）の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６８】
１、４  データ転送部（画像転送部）
２、７  表示部
３、５  ＣＰＵ（制御部）
１１  データ圧縮部（第１変換部）
１３  フレームメモリ
２２、７２  データ解凍部（第２変換部）
１００  情報端末（表示装置）
２００  表示システム
【図１】
2013235191.tif 000003
【図２】
2013235191.tif 000004
【図３】
2013235191.tif 000005
【図４】
2013235191.tif 000006
【図５】
2013235191.tif 000007
【図６】
2013235191.tif 000008
【図７】
2013235191.tif 000009
【図８】
2013235191.tif 000010